(57)【要約】【課題】  カードに宝石粒又は宝石粉を固定することで、外見が装飾的になるとともに、簡単に小さな宝石粒又は宝石粉をカード媒体に貼り付けるなどして固定できる装飾カード媒体を提供する。【解決手段】  表面にエンボスが形成されたカード状媒体であって、このカード状媒体の表面のエンボスに沿って宝石粒又は宝石粉を固定してあり、上記エンボスにより囲まれた領域内に、複数の宝石粒又は宝石粉を固定することにより所定の模様が形成されるようにした。【選択図】  図１
0003127025.tif 000002
【実用新案登録請求の範囲】
【請求項１】
表面にエンボスが形成されたカード状媒体であって、このカード状媒体の表面のエンボスに沿って宝石粒又は宝石粉を固定してなる、
ことを特徴とするカード状媒体。
【請求項２】
上記エンボスにより囲まれた領域内に、複数の宝石粒又は宝石粉を固定することにより所定の模様が形成されている、
請求項1記載のカード状媒体。
【請求項３】
上記エンボスの少なくとも上端部は、上記固定される宝石と同系色の色が塗布されている、
請求項1記載のカード状媒体。
【請求項４】
上記カード状媒体は、クレジットカード、キャッシュカードであり、上記エンボス部はカード番号を表示するものである、
請求項1記載のカード状媒体。
【請求項５】
上記宝石粒又は宝石粉の高さは、エンボスの高さよりも低くなっている、
請求項１記載のカード状媒体。
【考案の詳細な説明】
【技術分野】
【０００１】
この考案は、装飾用の宝石を接着剤やラミネートなどで固定したカード状の媒体に関する。
【背景技術】
【０００２】
従来、宝石で装飾を施す場合には、装飾される部材側に、宝石の外形に合せた凹入部を形成し、該凹入部に宝石を、接着剤等の固定手段を介して装入固定するようにしていた（例えば、特許文献１及び特許文献２参照）。
【０００３】
【特許文献１】実開平３−４５７７６号公報
【特許文献２】実開平３−１１８０２０号公報
【考案の開示】
【考案が解決しようとする課題】
【０００４】
しかし、上記のように宝石の外形にあわせて凹入部を形成したのでは、カードがその部分だけ肉薄となってしまい、外部からの衝撃によりその肉薄部分が損傷したり、また固定部分が肉薄となるため、固定強度が弱くなり宝石が剥離してしまうなどの問題があった。
また、小さな宝石粒を一つ一つ凹入部に入れて、接着剤等で固定するのは、凹部上手く宝石が入らずにずれてしまったり、また接着剤が穴からはみ出してしまったりするため、綺麗に仕上げるためには大変な手間がかかり、慣れていないと上手く宝石を接着できないという問題があった。特に、宝石粒の多きさが小さいときには、時間を掛けずに貼ることはかなり難しかった。
【０００５】
本考案は上述のような問題点に鑑みてなされたもので、カードに宝石粒又は宝石粉を固定することで、外見が装飾的になるとともに、簡単に小さな宝石粒又は宝石粉をカード媒体に貼り付けるなどして固定できる装飾カード媒体を提供する。
【課題を解決するための手段】
【０００６】
本考案の一の観点にかかるカード状媒体は、表面にエンボスが形成されたカード状媒体であって、このカード状媒体の表面のエンボスに沿って宝石粒又は宝石粉を固定してなることを特徴とする
【０００７】
また、上記エンボスにより囲まれた領域内に、複数の宝石粒又は宝石粉を固定することにより所定の模様が形成されていてもよい。
【０００８】
また、上記エンボスの少なくとも上端部は、上記固定される宝石と同系色の色が塗布されていてもよい。
【０００９】
また、上記カード状媒体は、クレジットカード、キャッシュカードであり、上記エンボス部はカード番号を表示するものであってもよい。
【００１０】
上記宝石粒又は宝石粉の高さは、エンボスの高さよりも低くなっていてもよい。
【考案を実施するための最良の形態】
【００１１】
以下、本考案を花に添えてメッセージを伝えるためのフラワーカードに適用した実施形態を図１に示す。
図１において、カード1上にはプリントされた枠状の絵柄２と、プリントメッセージ３が予め印刷されている。このカード１は、プラスチック製のカードである。なお、カード１はプラスチックなどの樹脂により作られたカードでなくとも、肉厚の紙により作られたものであってもよい、金属でもよい。
また、カード1上の中央部には、空白のメッセージ記載欄４が設けられており、このメッセージ記載欄４にペンなどを使って、花を贈る相手に対するメッセージが記載できるようになっている。
【００１２】
カード1上面の下端部には、エンボスにより模様５が形成されている。
この模様５は、例えば、図示のようなクローバーのような形状であっても良いし、またハート型であってもよく模様は任意である。この模様は、カードによって異なる模様が予めエンボスにより付されていてもよく、これにより、購入者が自分の好みの模様のカードを購入して、メッセージを書き込んで贈ることができる。
【００１３】
模様５は、クローバーの葉部５aと茎部５ｂからなっている。
葉部５aは、エンボスにより1枚の葉の模様（図示では、ハート型の模様）を形成し、この葉の模様が３箇所放射状に形成されることで、クローバーの葉が形成されている。そしてこの葉部５aの内部に接着剤を塗布したり、またカード１上に透明な粘着シートを張っておくことで、図示しない宝石粒６をカード１に貼り付けて固定することができる。これにより、宝石粒６があたかも葉の形の模様として現われることとなる。
図１の例では、宝石粒６を配列している途中の状態を示しており、完全に配列されることで宝石がクローバーの形状となる。
なお、宝石粒６の貼り付けは、この葉のエンボス形状に沿って線状に取り付けてもよい。この場合、葉の内周側と外周側の両側に一列づつ配置してもよいし、またいずれかに配置しても良い。またハード形をした葉の内部を埋め尽くすように一面に宝石粒６を貼り付けてもよい。
【００１４】
なお、宝石粒６を貼り付ける場合には、カード１の表面に凹部を創るようにしてもよいが、これは任意である。
また、茎５ｂのエンボス部分には、この茎５ｂに沿って宝石粒を貼り付けことで、茎５ｂの形状に沿って宝石粒が並ぶこととなり、全体としてクローバーの模様５が形成される。
【００１５】
さらに、接着剤等による接着だけでは宝石粒の固定強度が低い場合には、必要に応じてその上からラミネート加工をする。
この場合、カード１の表裏両面を透明のラミネートフィルムにより覆い加熱圧着させてラミネートする。これにより宝石粒はカード上に圧着固定された状態となり、より固定強度が高くなり取れにくくなる。
【００１６】
また、この宝石粒は、エンボスよりも若干低い大きさに形成されている。そのため、エンボス部分自体は読み取り可能となっている。
【００１７】
また、エンボス部、即ち葉５ａ、茎５ｂの少なくとも上端部は着色がされている。この着色は、カード１に付けられる宝石粒の色と同系色の色が付されている。例えば、ブルートパーズを貼り付けるカード１には、そのエンボスの上端は青系の色、ルビーであれば赤系の色、サファイアであれば緑系の色が付けられている。
【００１８】
このように、上述の実施形態によれば、エンボスに沿って、またはその内周面全体に宝石粒を貼り付けて固定すればよいから、このエンボスがガイドとなって誰でも簡単に宝石粒を貼り付けることができる。
また、エンボス上部を着色することで、宝石との色彩感がかもし出され、より装飾的効果を高めることができる。さらに、この着色を宝石と同系色とすることで、エンボス面が目立たなくなり、装飾的に見栄えがよくなる。
また、この宝石粒６は、指輪やネックレスヘッドなどのジュエリーのリサイクルや、リメイクの際に出た装飾用の細かな宝石粒を利用することができる。これにより、宝石粒自体のコストを下げ、安いコストで宝石粒６により装飾をすることができる。
【００１９】
次に本願発明にかかる第２の実施形態について説明する。図３に示した例では、クレジットカード１０のエンボス部分、つまりクレジットカード１０の所有者の名前のエンボス１１や、カード番号の名前のエンボス１１に宝石粒１６を貼り付けて固定した例である。
この場合、既に名前やカード番号がカード１０上にエンボス１１として形成されていることから、このエンボス１１の間に宝石粒１６を貼り付ける。
この場合も、前述の実施形態同様に、エンボス１１の隙間に接着剤を塗布して宝石粒１６を貼り付けてもよいし、またクレジットカード１０のエンボス１１に透明な粘着シートを貼り付けて、この粘着シートを介してクレジットカード１０に貼り付けてもよい。
この際、宝石粒１６の高さは、エンボス１１の高さよりも低くなることが望ましい。これにより、エンボス１１がその機能を失わずに済むこととなる。
また、エンボス１１の上端部は、貼り付ける宝石粒１６と同系色としてもよい。この場合、エンボス１１の上端部に色を塗ることで着色してもよいし、またそのための透過性を有する着色された粘着フィルムを貼ることにより、このフィルムを介して宝石粒を張るようにしても良い。
【００２０】
このように、第２の実施形態によっても、いままで無味乾燥だったクレジットカードやキャッシュカードに装飾を施すことができ、上述の第１の実施形態と同様な効果を奏することができる。
また、宝石粒１６がエンボス１１よりもその高さが若干低くなっていることから、エンボス１１の機能を失うこともないため特に障害となることなくクレジットカード１０を装飾することができる。
【００２１】
なお、上述の各実施形態で用いた宝石粒は、そのために加工する必要はなく、例えば、リサイクルとして、また捨てられたジュエリーのうち、装飾的についていた粒の小さい宝石を使うことができる。
また、宝石は粒状だけでなく、さらに細かい粉状の宝石をちりばめることができる。
また、宝石粒又は宝石粉は、エンボスの内部だけでなく外周にも取り付けることができ、磁気カードの磁気記録部分や、ＩＣカードのＩＣチップ部分などの情報記録部分以外であれば、その他どのような場所に取り付けてもよい。
【００２２】
なお、上述の実施形態では、いずれもカード状のものであったが、プレート状のものなどその形状は任意であり、また、クレジットカード、キャッシュカード、プレゼントの際のメッセージカードだけでなく、様々なカードやプレートなどカード状のものに適用することができ、本考案の趣旨を逸脱しない範囲で変形可能である。
また、本考案のカードは、プラスチック製のものだけでなく、紙製や金属（アルミ、ステンレスなど）製であってもよく、その材質は問わない。
また、カードに付する模様も色々な模様であってもよいし、また所有者の名前のような実用的なエンボス部分にジュエリーを貼り付けてもよい。
また、カード媒体に貼り付ける宝石粒は、ダイヤ、ルビー、ブルートパーズ、パール、水晶、ガラスなどであってもよい。
【図面の簡単な説明】
【００２３】
【図１】本考案をフラワーカードに適用した場合の一例を示した平面図。
【図２】上記実施形態のフラワーカードのＡ−Ａ‘断面図。
【図３】本考案をクレジットカードの適用した場合の一例を示した平面図。
【符号の説明】
【００２４】
１        カード
２        絵柄
３        プリントメッセージ
４        メッセージ記載欄
５        模様（エンボス）
６        宝石粒
１０      クレジットカード
１１      エンボス
１６      宝石粒
【図１】
0003127025.tif 000003
【図２】
0003127025.tif 000004
【図３】
0003127025.tif 000005